(57)【要約】【課題】電子機器を斜め下方へ滑らせるような感覚で電気的接続を行うことができる接続装置を提供する。【解決手段】接続端子が外部に露出可能とされた電子機器が着脱自在に装着される装置本体を備え、装置本体は、電子機器が係合される係合溝と、係合溝内に配置され且つ電子機器の接続端子と着脱可能な接続端子部とを有する接続装置に関する。係合溝７４は、携帯型オーディオプレーヤの上部に開口されると共に携帯型オーディオプレーヤの係合溝７４に係合される部分の外形形状に見合う形状を有し且つ係合溝７４の底部が斜め方向に延在するように形成され、係合溝７４の奥部に接続端子部７５を配置する。【選択図】      図９
2004241331.tif 000002
【特許請求の範囲】
【請求項１】
接続端子が外部に露出可能とされた電子機器が着脱自在に装着される装置本体を備え、
前記装置本体は、前記電子機器が係合される係合溝と、前記係合溝内に配置され且つ前記電子機器の前記接続端子と着脱可能な接続端子部とを有する接続装置において、
前記係合溝は、前記装置本体の上部に開口されると共に前記電子機器の当該係合溝に係合される部分の外形形状に見合う形状を有し且つ当該係合溝の底部が斜め方向に延在するように形成され、
前記係合溝の奥部に前記接続端子部を配置したことを特徴とする接続装置。
【請求項２】
前記係合溝は底部よりも開口部側が少々幅広とされた略断面Ｕ字状をなす凹部からなり、前記電子機器の前記係合溝に係合される部分は略断面逆Ｕ字状をなす凸部からなることを特徴とする請求項１記載の接続装置。
【請求項３】
前記係合溝の傾斜角度は４０度から５０度の範囲内が好ましく、略４５度が最も好ましい傾斜角度であることを特徴とする請求項１記載の接続装置。
【請求項４】
前記装置本体は、円筒体の軸方向の一端を略４５度の角度で切断したような被支持面を有し、前記被支持面と反対側に前記係合溝を設けると共に、円筒外周面で支持面を転がって停止したときに起き上がって前記被支持面で前記支持面上に載置されるように重心の位置を設定したことを特徴とする請求項１記載の接続装置。
【請求項５】
前記被支持面の近傍に、他の電子機器又は電源と接続するための端子部を設けたことを特徴とする請求項１記載の接続装置。
【発明の詳細な説明】
【０００１】
【発明の属する技術分野】
本発明は、例えば、音響機器等の電子機器を接続して電源を充電したり、他の電子機器と電気的に接続して電子機器を駆動する等を目的として用いられる接続装置に関するものである。
【０００２】
【従来の技術】
従来の、この種の接続装置としては、例えば、特許文献１に記載されているようなものがある。この特許文献１には、電子機器の誤装着防止装置に関するものが記載されている。この電子機器の誤装着防止装置は、例えば、カメラ一体型ＶＴＲ（ビデオテープレコーダ）等の電子機器或いはその電源としてのバッテリーパック等の使用部品のように装着する側の装着部材と、いわゆるステーションと言われる充電・再生のための接続装置等の電子機器のように装着部材が装着される側の被装着部材とをスライド機構によって着脱可能に構成したものである。
【０００３】
また、従来の他の接続装置としては、例えば、特許文献２に記載されているようなものがある。この特許文献２には、電子機器のＤＣ電源として使用して好適な複数の電池を収納するバッテリパックと、このバッテリパックに充電するための充電器とが記載されている。バッテリパックには、その底面と側面とのコーナーに充電器等と係合するリブを有する穴が設けられ、充電器のバッテリ収納部には、前記穴に対応する突起が形成されている。かくして、バッテリパックをバッテリ収納部の底面に接触させながら押し込むことにより、突起が穴に係合されてバッテリパックが充電器に装着される。
【０００４】
【特許文献１】
特開平７−２２２０４２号公報（第２頁、図１）
【特許文献２】
特開２０００−８２５０１号公報（第４〜５頁、図８〜図９）
【０００５】
【発明が解決しようとする課題】
しかしながら、上述した先行技術に係る接続装置では、バッテリパックやカメラ一体型ＶＴＲ等の電子機器を充電器やステーション等の他の電子機器に装着する際に、まず、上方から下方へ略垂直に差し込み、次に横方向へスライドさせる２段ストローク構成となっていたため、着脱操作に手間がかかるという課題があった。
【０００６】
本発明は、このような先行技術の課題を解決するためになされたものであり、装置本体の上部に係合溝を設けると共に、その係合溝を傾斜させて設けることにより、電子機器を斜め下方へ滑らせるような感覚で電子機器を接続することができる接続装置を提供することを目的としている。
【０００７】
【課題を解決するための手段】
前記課題を解決し、前記目的を達成するため、本出願の請求項１記載の接続装置は、接続端子が外部に露出可能とされた電子機器が着脱自在に装着される装置本体を備え、装置本体は、電子機器が係合される係合溝と、係合溝内に配置され且つ電子機器の接続端子と着脱可能な接続端子部とを有する接続装置において、係合溝は、装置本体の上部に開口されると共に電子機器の係合溝に係合される部分の外形形状に見合う形状を有し且つ係合溝の底部が斜め方向に延在するように形成され、係合溝の奥部に接続端子部を配置したことを特徴としている。
【０００８】
本出願の請求項２記載の接続装置は、係合溝は底部よりも開口部側が少々幅広とされた略断面Ｕ字状をなす凹部からなり、電子機器の係合溝に係合される部分は略断面逆Ｕ字状をなす凸部からなることを特徴としている。
【０００９】
本出願の請求項３記載の接続装置は、係合溝の傾斜角度は４０度から５０度の範囲内が好ましく、略４５度が最も好ましい傾斜角度であることを特徴としている。
【００１０】
本出願の請求項４記載の接続装置は、装置本体は、円筒体の軸方向の一端を略４５度の角度で切断したような被支持面を有し、被支持面と反対側に係合溝を設けると共に、円筒外周面で支持面を転がって停止したときに起き上がって被支持面で支持面上に載置されるように重心の位置を設定したことを特徴としている。
【００１１】
本出願の請求項５記載の接続装置は、被支持面の近傍に、他の電子機器又は電源と接続するための端子部を設けたことを特徴としている。
【００１２】
前述のように構成したことにより、本出願の請求項１記載の接続装置では、装置本体の係合溝に電子機器の対応する部分を係合し、係合溝が延在する方向へ直線的に導くことにより、電子機器を接続装置に対して簡単且つ迅速に装着することができる。
【００１３】
本出願の請求項２記載の接続装置では、係合溝の開口部側が底部よりも幅広になっていて、係合溝が略断面Ｕ字状に形成され且つ他の電子機器の対応する部分が略断面逆Ｕ字状に形成されているため、極めて容易に電子機器を接続装置に装着することができる。
【００１４】
本出願の請求項３記載の再生装置では、係合溝の傾斜角度を４０度から５０度の範囲内に設定し、好適には４５度に傾斜角度を設定することにより、電子機器の自重を利用して係合溝に沿って電子機器をスムースに移動させて接続装置に装着することができる。
【００１５】
本出願の請求項４記載の接続装置では、円筒体からなる装置本体の被支持面の位置を工夫して全体の重量バランスを考慮することにより、装置本体を転がしたときにも、起き上がりこぼしのように最終的には倒立させて係合溝が上部に位置するようにすることができる。
【００１６】
また、本出願の請求項５記載の接続装置では、装置本体の被支持面の近傍に端子部を設けたことにより、装置本体を安定させた状態で他の電子機器と接続することができる。
【００１７】
【発明の実施の形態】
以下、本発明の実施の例を、添付図面を参照して説明する。図１〜図１１は、本発明の実施の例を示すものである。即ち、図１は本発明の接続装置に接続される電子機器の一実施例を示す斜視図、図２は同正面図、図３は同右側面図、図４は同平面図、図５は同分解斜視図、図６は本発明の接続装置の一実施例を示す正面図、図７は図６のＸ矢視図、図８は接続装置に電子機器を接続する前の状態を示す説明図、図９は同接続状態の一部を断面した説明図、図１０は図９のＹ矢視図、図１１は接続装置を他の電子機器と接続する状態を示す説明図である。
【００１８】
まず、接続装置に接続される電子機器について説明する。図１〜図５に示す電子機器は、記録媒体を外付け記憶装置として用いることができる携帯型オーディオプレーヤである。この携帯型オーディオプレーヤ１は、内蔵された記憶装置に音楽やその他の情報を記録し、その記録された音楽やその他の情報を屋外やその他任意の場所で手軽に聞くことができるようにしたものである。
【００１９】
この携帯型オーディオプレーヤ１は、内蔵されたメインの記憶媒体を有する情報記憶部と、この情報記憶部の再生を行う再生部と、この再生部の動作の切換操作を行う第１の操作部と、再生部のオン・オフの切換操作を行う第２の操作部と、第１の操作部及び第２の操作部での操作に応じて再生部を制御する制御部等を備えて構成されている。
【００２０】
図５に示すように、携帯型オーディオプレーヤ１は、前記情報記憶部と再生部と制御部等が設けられた基板アセンブリ２と、内蔵される電源装置３と、これら基板アセンブリ２及び電源装置３等が収納されるケーシング４と、このケーシング４に取り付けられる第１の操作部５及び第２の操作部６と、イヤホーンのプラグ７が接続されるプラグ接続部８と、ホールドバンパー９等によって構成されている。
【００２１】
基板アセンブリ２は、４面を囲うよう枠状に形成されたシャーシ１１と、このシャーシ１１の内部に保持された複数枚の配線基板１２と、これら配線基板１２に実装されたマイクロコンピュータ、ＲＯＭ，ＲＡＭ等の内蔵記憶装置、入出力装置その他の電子部品と、外部の電子機器と接続するための雌側コネクタ１３等から構成されている。シャーシ１１の内側には、電子部品が実装された各配線基板１２間に適当な隙間を設定して配置することにより電源装置３を収納するための電源収納部と、着脱自在に装着される外部記憶装置を収納するための記憶装置収納部とが設けられている。
【００２２】
電源装置３は、シャーシ１１内の電源収納部に対して着脱可能に収納できる形状とされていて、この実施例では薄い直方体とされている。この電源装置３としては、例えば、充電式のニッケル水素電池が好適であるが、他の二次電池を使用できることは勿論のこと、一次電池を用いることもできる。
【００２３】
ケーシング４は、基板アセンブリ２が着脱可能に収納される下部ケース１５と、この下部ケース１５の上面に開口された開口部を閉じる上部ケース１６とから構成されている。下部ケース１５及び上部ケース１６は絞り加工によって成形されていて、特に下部ケース１５は、横方向及び奥行き方向の寸法よりも高さ方向の寸法を十分に長くした、いわゆる深絞りにより成形されている。
【００２４】
下部ケース１５及び上部ケース１６の材質としては、チタン合金が好適である。しかしながら、ステンレス鋼その他の金属を用いることができることは勿論のこと、金属以外のエンジニアリングプラスチックその他の材料を用いることもできる。このケーシング４は人の手に触れる機会が多いため、その材質としてチタン合金を用いることにより、一般的な金属が接触することによる皮膚の炎症等を防止することができ、人に優しい電子機器を提供することができる。
【００２５】
下部ケース１５は、断面形状が略Ｕ字状をなす上面が開口された筐体からなり、横方向の寸法は同一であるが、円弧状に形成された底部の奥行き寸法よりも上面開口部の奥行き寸法を少々長くして、全体として楔のような形状に形成されている。この下部ケース１５の底部には、斜め下方に開口された記録媒体挿入口１７が設けられている。更に、下部ケース１５の一方の側面部には、基板アセンブリ２に設けられた雌側コネクタ１３が内側に対向されるコネクタ用開口部１５ａが設けられ、その開口部１５ａには格子窓１８が装着されている。また、下部ケース１５の他方の側面部には、イジェクト釦用開口部１５ｂが設けられ、その開口部１５ｂにはイジェクト釦２２が取り付けられている。
【００２６】
イジェクト釦２２は、記録媒体挿入口１７を閉じるシャッタ２０を開放させて外部記憶装置の取り出しを可能とするためのものである。このイジェクト釦２２は、開口部１５ｂに装着される釦ホルダ２３と、この釦ホルダ２３に押圧自在に保持された釦本体２４と、この釦本体２４を常時外側に付勢するゴム等の弾性体２５と、釦ホルダ２３と下部ケース１５の間をシールするシール部材２６とから構成されている。
【００２７】
シャッタ２０は、下部ケース１５の記録媒体挿入口１７の形状に見合う形状とされていて、その外面は、記録媒体挿入口１７を閉じた状態において下部ケース１５の外面と同一面になるよう曲面とされている。このシャッタ２０は、取付部材２８に回動自在に支持されている。シャッタ２０と取付部材２８との間には捩りコイルバネ２９が介在されており、この捩りコイルバネ２９のバネ力によってシャッタ２０が記録媒体挿入口１７を開放する方向に常時付勢されている。このシャッタ２０は、記録媒体挿入口１７を閉じた状態において前記イジェクト釦２２によってロックされ、これによりシャッタ２０が、記録媒体挿入口１７を閉じた状態に保持される。この状態から釦本体２４を押圧操作することによってロックが解除され、捩りコイルバネ２９のバネ力でシャッタ２０が回動されて記録媒体挿入口１７が開かれる。
【００２８】
シャッタ２０によって開閉される記録媒体挿入口１７から出し入れされる記録媒体としては、例えば、「マジックゲート・メモリースティック・デュオ（商標）」と言われるＩＣ記録メディア３１を適用することができる。このＩＣ記録メディア３１は、従来の「メモリースティック（商標）」に著作権保護技術「マジックゲート」を搭載したもので、「マジックゲート」に対応したＡＶ機器に用いることにより、画像データや音楽・音声データを記録したり、パーソナルコンピュータでデータを記録することができる。
【００２９】
この下部ケース１５の上面開口部を閉じる上部ケース１６は、上方に突出した蒲鉾のようなドーム形をなしており、長手方向の一端に操作部３３が設けられ、長手方向の他端にプラグ接続部８が設けられている。操作部３３は、第１の位置と第２の位置において、予め内蔵記憶装置や外部記録媒体に記録されている音楽データや音声データを選曲或いは選択することができる第１の操作部５と、再生部に対する電源の供給をオン・オフ切り換える第２の操作部６とから構成されている。更に、上部ケース１６には、制御部により実行されている制御の内容や演奏されている音楽の曲名等を表示する表示部の一具体例を示す液晶ディスプレイ３９が設けられている。
【００３０】
第１の操作部５は、下部ケース１５に固定される固定部材３４と、この固定部材３４に回動自在に支持される操作ツマミ３５と、この操作ツマミ３５に固定される回動部材３６と、操作ツマミ３５を固定部材３４に対して所定位置に保持する捩りコイルバネ３７と、操作ツマミ３５の軸方向への移動に際してクリック感を生じさせるクリック感発生機構３８と、操作ツマミ３５の回動方向を検出する第１及び第２の検出スイッチ４０，４１と、操作ツマミ３５の軸方向への移動を検出する位置検出スイッチ４２から構成されている。また、第２の操作部６は、操作ツマミ３５に固定されるカバーリング４４と、このカバーリング４４によって操作ツマミ３５から抜け止めされる操作釦４５と、この操作釦４５の中央部に固定される操作軸４６と、この操作軸４６の軸方向への移動によってオン・オフ切り換えられる電源スイッチ４７から構成されている。
【００３１】
第１の操作部５は、操作ツマミ３５を軸方向へ移動することによってケーシング側の第１の位置と、ケーシングから離間された第２の位置を選択的に取ることができる。そして、各位置において操作ツマミ３５は、それぞれ時計方向と反時計方向の２方向に回動可能とされている。これにより、例えば、操作ツマミ３５を一方へ回動することによって次の音楽が選曲され、他方へ回動することによって前の音楽を選曲できるように構成されている。また、第２の操作部６は、操作釦４５を１回押圧することによって電源がオンされ、２回押圧することによって電源がオフされる。更に、操作釦４５を再び押圧することにより、最初に戻って１回目となり、電源がオンされる。
【００３２】
また、プラグ接続部８は、上部ケース１６の内側に固定される固定部材５０と、この固定部材５０に固定されると共にプラグ７の端子部が挿入される中央穴を有する端面カバー５１と、固定部材５０に回動自在に保持されるツマミ部材５２と、このツマミ部材５２を中立位置に保持する捩りコイルバネ５３と、ツマミ部材５２に固定される操作リング５４と、この操作リング５４によってオン・オフ制御される高音側及び低音側のボリュームスイッチ５５，５６と、固定部材５０に設けられたソケット部５７とから構成されている。
【００３３】
このプラグ接続部８に着脱自在に装着されるプラグ７は、ソケット部５７と電気的に接続される端子部６０と、この端子部６０の基部に設けられた把持部６１とからなり、コードによってレシーバ等に接続されている。プラグ７の把持部６１には、絶縁材料で形成されたスリーブ６２が装着され、このスリーブ６２にプラグカバー６３が装着されている。
【００３４】
このプラグ接続部８が取り付けられる上部ケース１６と下部ケース１５との間にはホールドバンパー９が、その接続面が展開される方向にスライド可能に取り付けられている。このホールドバンパー９は、第１の操作部５の第２の位置における再生状態をホールドすることを主な役割とするもので、操作部３３からプラグ接続部８までの全てを囲うことができる大きさの枠体として形成されている。
【００３５】
図６及び図７は、本発明の接続装置の一実施例を示すもので、この接続装置７０は、円筒体の軸方向の一端を略４５度の角度で切断したような形状を有する装置本体７１を備えている。この装置本体７１の４５度の切断面が、例えば机上のような支持面７２（図９を参照）に接触される被支持面７３とされている。この被支持面７３に対する装置本体７１の上部には、上方に開口する係合溝７４が設けられている。
【００３６】
係合溝７４は、オーディオプレーヤ１の底部に対応する形状を備えており、底部よりも外側が幅広とされた略Ｕ字状をなす凹部とされている。この係合溝７４は、装置本体７１の軸方向、即ち、被支持面７３に対して略４５度の方向に延在されるように形成されている。この係合溝７４の傾斜角度は、４０度から５０度の範囲が好適であり、最も相応しい傾斜角度は４５度である。この傾斜角度が４０度以下と５０度以上の場合には、後述する起き上がりこぼしのような機能を発揮させることが困難になるが、その機能を問わない場合には、傾斜角度が４０度以下であってもよく、また５０度以上であってもよい。
【００３７】
更に、係合溝７４の奥部には、この係合溝７４が延在する方向に対向された接続端子部７５が設けられている。この接続端子部７５は、オーディオプレーヤ１のケーシング４に内蔵された基板アセンブリ２の雌側コネクタ１３と対をなす雄側コネクタである。係合溝７４にケーシング４の下部を嵌合させて傾斜方向へ落とし込むことにより、雌側コネクタ１３が接続端子部７５と電気的に接続される。この実施例では、接続端子部７５を係合溝７４内に露出させる構成としたが、例えば開閉カバーを設ける等して常時は接続端子部７５を隠し、オーディオプレーヤ１を装着するときに、オーディオプレーヤ１の自重等で開閉カバーが開かれる構成としてもよい。
【００３８】
また、装置本体７１の下部で被支持面７３の近傍には、他の電子機器や電源と接続するための端子部７６が設けられている。図１１に示すように、例えば、端子部７６の一方の接続口７６ａはＵＳＢジャック７７が接続されるＵＳＢソケットとされ、他方の接続口７６ｂはＤＣ−ＩＮジャック７８が接続されるＤＣ−ＩＮソケットとされている。
【００３９】
この場合、専用ＵＳＢ接続ケーブル８０を使用して他端のジャック８１を他の電子機器の一具体例を示すパーソナルコンピュータ８２と接続することにより、接続装置７０を介してオーディオプレーヤ１の内蔵記憶装置や外部記憶装置に音楽や音声等の情報を記録することができる。また、ＡＣパワーアダプター８３を電源に接続することにより、接続装置７０を介してオーディオプレーヤ１の二次電池３に充電することができる。
【００４０】
装置本体７１の材質としては、絶縁性及び耐熱性に優れたエンジニアリングプラスチックが好適であるが、これらの性質を有する他の材料、例えばセラミックス等を用いるともできる。
【００４１】
このような構成を有する接続装置７０は、例えば、次のようにして使用する。図８に示すように、支持面上に載置された接続装置７０の上部に開口された係合溝７４に、電子機器の一具体例を示すオーディオプレーヤ１のケーシング４の下部を臨ませ、そのケーシング４下部を係合溝７４に係合させる。そして、係合溝７４が延在される斜め方向に沿ってケーシング４を移動させる。このとき、係合溝７４とケーシング４の下部とは、互いに対応された形状とされているため、ケーシング４が係合溝７４の３面にガイドされて直線的に移動され、スムースに挿入することができる。
【００４２】
オーディオプレーヤ１が係合溝７４の奥まで挿入されると、係合溝７４の奥に配置された接続端子部７５がケーシング４の側面に設けられた格子窓１８からケーシング４内に入り込み、雌側コネクタ１３に接続される。これにより、図９及び図１０に示すように、接続装置７０とオーディオプレーヤ１が電気的に確実に接続される。この際、係合溝７４には適度な角度の傾斜が設けられているため、その係合溝７４にガイドされてオーディオプレーヤ１が自重によって滑り降りるように移動する。その結果、オーディオプレーヤ１の自重のみにより、或いはその自重に操作者の力を若干加えるだけの直線的な動きによって、雌側コネクタ１３を接続端子部７５である雄側コネクタに容易且つスムースに接続することができる。
【００４３】
この状態で、図１１に示すように、接続装置７０をパーソナルコンピュータ８２と接続することにより、接続装置７０を介してパーソナルコンピュータ８２側の音楽や音声等の情報をオーディオプレーヤ１の内蔵記憶装置や外部記憶装置に記録することができる。また、接続装置７０をＡＣパワーアダプター８３と接続して家庭用電源等と接続することにより、オーディオプレーヤ１の二次電池３に充電することができる
【００４４】
また、本実施例の場合には、接続装置７０自体が起き上がりこぼしのような性格を有するため、これを円周方向に転がしたときにも図９のように、自動的に起き上がらせることができる。そのため、動きに面白みのある接続装置を提供することができる。
【００４５】
本発明は、前述しかつ図面に示した実施の形態に限定されるものではなく、その要旨を逸脱しない範囲内で種々の変形実施が可能である。例えば、前記実施例では、係合溝の形状をＵ字状としてこれに係合されるケーシングを逆Ｕ字状とした例について説明したが、係合溝の形状をＶ字状としてこれに係合されるケーシングを逆Ｖ字状としてもよい。
【００４６】
【発明の効果】
以上説明したように、本出願の請求項１記載の接続装置によれば、装置本体の上部に、斜め下方に延在された係合溝を設ける構成としたため、その係合溝に電子機器の対応する部分を係合して係合溝が延在する方向へ直線的に導くことにより、電子機器を接続装置に対して直線的に移動させてワンタッチで簡単且つ迅速に装着することができるという効果が得られる。
【００４７】
本出願の請求項２記載の接続装置によれば、係合溝の開口部側が底部よりも幅広になっていて、係合溝を略断面Ｕ字状に形成すると共に他の電子機器の対応する部分を略断面逆Ｕ字状に形成するようにしたため、極めて容易に電子機器を接続装置に装着し、確実に接続することができるという効果が得られる。
【００４８】
本出願の請求項３記載の接続装置によれば、係合溝の傾斜角度を４０度から５０度の範囲内に設定し、好適には４５度に傾斜角度を設定したため、電子機器の自重を利用して係合溝に沿って電子機器をスムースに移動させて接続装置に簡単且つ確実に接続することができるという効果が得られる。
【００４９】
本出願の請求項４記載の接続装置によれば、円筒体からなる装置本体の被支持面の位置を工夫して全体の重量バランスを考慮するようにしたため、装置本体を転がしたときにも、起き上がりこぼしのように最終的には倒立させて係合溝が上部に位置するようにすることができるという効果が得られる。
【００５０】
本出願の請求項５記載の接続装置によれば、装置本体の被支持面の近傍に端子部を設ける構成としたため、装置本体を安定させた状態で他の電子機器と接続することができるという効果が得られる。
【図面の簡単な説明】
【図１】本発明の接続装置に接続される電子機器の一実施例を示すもので、携帯型オーディオプレーヤを示す斜視図である。
【図２】図１に示す携帯型オーディオプレーヤの正面図である。
【図３】図１に示す携帯型オーディオプレーヤの右側面図である。
【図４】図１に示す携帯型オーディオプレーヤの平面図である。
【図５】図１に示す携帯型オーディオプレーヤの分解斜視図である。
【図６】本発明の接続装置の一実施例を示す正面図である。
【図７】図６に示す接続装置のＸ方向から見た矢視図である。
【図８】本発明の接続装置に電子機器を接続する前の状態を示す説明図である。
【図９】本発明の接続装置に電子機器を接続した状態を示すもので、一部を断面した説明図である。
【図１０】図９に示す接続装置に電子機器を接続した状態を示すもので、Ｙ方向から見た矢視図である。
【図１１】本発明の接続装置と他の電子機器等を接続する状態を示す説明図である。
【符号の説明】
１…携帯型オーディオプレーヤ（電子機器）、  ４…ケーシング、  １３…雌側コネクタ、  ７０…接続装置、  ７１…装置本体、  …７３被支持面、  ７４…係合溝、  ７５…接続端子部、  ７６…端子部
【図１】
2004241331.tif 000003
【図２】
2004241331.tif 000004
【図３】
2004241331.tif 000005
【図４】
2004241331.tif 000006
【図５】
2004241331.tif 000007
【図６】
2004241331.tif 000008
【図７】
2004241331.tif 000009
【図８】
2004241331.tif 000010
【図９】
2004241331.tif 000011
【図１０】
2004241331.tif 000012
【図１１】
2004241331.tif 000013